(57)【要約】【課題】携帯電話のモニタにおける画像一覧を視認性が向上するように表示する。【解決手段】携帯電話１００を実現する演算装置１１０は、画像一覧の表示を検出した場合に（Ｓ６０４にてＹＥＳ）、フラッシュメモリからＲＡＭにデータを読み出すステップ（Ｓ６０８）と、画像データを有するファイルであると判断した場合に（Ｓ６１８にてＹＥＳ）、画像データが展開可能なデータである場合には（Ｓ６２０にてＹＥＳ）、画像データに基づいて画像のみをメインモニタに表示するステップ（Ｓ６２２）と、画像データを有しないファイルであると判断した場合に（Ｓ６１８にてＮＯ）、ファイルの種類によってアイコンを判別するステップ（Ｓ６２６）と、ファイルの名前とアイコンとを表示するステップ（Ｓ６２８）とを含む。【選択図】図６
2011138526.tif 000002
【特許請求の範囲】
【請求項１】
画像を表示するための表示手段と、
利用者が指示を入力するための入力手段と、
複数のファイルの各々を識別する各識別情報と、各前記ファイルの各々に固有な画像データが対応付けられた少なくとも１つ以上の第１のファイルと、各前記ファイルの各々の属性に対応付けられた属性別画像データが対応付けられた少なくとも１つ以上の第２のファイルとを記憶するための記憶手段と、
前記指示から、各前記ファイルに対応する画像の一覧を表示する指示が検出されると、各前記ファイルの各々について、前記識別情報に基づいて、前記ファイルが前記画像データに対応付けられているか否かを判断するための判断手段と、
前記ファイルが前記画像データに対応付けられている場合に、各前記ファイルの各々について、前記画像データに基づいて、前記表示手段の表示領域における一覧表示領域が分割された領域のいずれかの領域に画像を表示するための表示データを生成するための第１の生成手段と、
前記ファイルが前記画像データに対応付けられていない場合に、各前記ファイルの各々について、前記属性別画像データと前記識別情報とに基づいて、前記表示データを生成するための第２の生成手段とを含む、携帯通信端末。
【請求項２】
前記第１の生成手段は、前記画像データに対応する画像そのものを表示するためのデータを生成するための第１の表示データ生成手段を含み、
前記第２の生成手段は、前記属性別画像データに対応する画像および前記識別情報に対応する画像を表示するためのデータを生成するための第２の表示データ生成手段を含む、請求項１に記載の携帯通信端末。
【請求項３】
前記第１の表示データ生成手段は、前記画像データに対応する画像が表示される領域に対応するデータ量に応じて、前記記憶手段から前記画像データを予め定められた間隔で読み出すための読出手段を含む、請求項２に記載の携帯通信端末。
【請求項４】
前記画像データは、静止画像のデータを含み、
前記読出手段は、前記静止画像のデータを、前記予め定められた間隔で読み出す、請求項３に記載の携帯通信端末。
【請求項５】
前記画像データは、動画像のデータを含み、
前記読出手段は、前記動画像のデータにおいて予め定められたフレームのデータを、前記予め定められた間隔で読み出す、請求項３に記載の携帯通信端末。
【請求項６】
前記第２の表示データ生成手段は、前記属性別画像データに対応する画像および前記識別情報に対応する画像が表示される領域に対応するデータ量に応じて、前記記憶手段から前記属性別画像データを予め定められた間隔で読み出す、請求項２に記載の携帯通信端末。
【請求項７】
前記記憶手段は、
前記第１のファイルと前記第２のファイルとを記憶するための第１のデータ記憶手段と、
前記識別情報と前記属性別画像データとを対応付けて、不揮発的に記憶するための第２のデータ記憶手段とを含む、請求項１〜６のいずれかに記載の携帯通信端末。
【請求項８】
前記識別情報は、前記識別情報により特定されるファイルが前記画像データに対応付けられるファイルであるか否かを表わす属性情報を含み、
前記判断手段は、前記属性情報に基づいて、前記ファイルが前記画像データに対応付けられているか否かを判断する、請求項１〜７のいずれかに記載の携帯通信端末。
【請求項９】
前記記憶手段は、前記識別情報により特定されるファイルが前記画像データに対応付けられるファイルであるか否かを表わす属性情報を、各前記ファイルの識別情報に対応付けて記憶し、
前記判断手段は、前記属性情報に基づいて、前記ファイルが前記画像データに対応付けられているか否かを判断する、請求項１〜７のいずれかに記載の携帯通信端末。
【請求項１０】
前記携帯通信端末はさらに、
外部からの情報の入力を受け付けるための受付手段と、
前記外部からの情報の属性に基づいて、前記外部からの情報を前記属性情報に対応付けて前記記憶手段に記憶させるためのデータ保存手段とを含む、請求項８または請求項９に記載の携帯通信端末。
【請求項１１】
前記受付手段は、文字情報の入力を受け付け、
前記データ保存手段は、前記文字情報のファイルが前記画像データに対応付けられないファイルであることを表わす情報を、前記文字情報のファイルを識別する前記識別情報に含めて、前記記憶手段に記憶させる、請求項１０に記載の携帯通信端末。
【請求項１２】
前記受付手段は、音声信号の入力を受け付け、
前記データ保存手段は、前記音声信号のファイルが前記画像データに対応付けられないファイルであることを表わす情報を、前記音声信号のファイルを識別する前記識別情報に含めて、前記音声信号を前記記憶手段に記憶させる、請求項１０に記載の携帯通信端末。
【請求項１３】
前記受付手段は、映像信号の入力を受け付け、
前記データ保存手段は、前記映像信号のファイルが前記画像データに対応付けられるファイルであることを表わす情報を、前記映像信号のファイルを識別する前記識別情報に含めて、前記映像信号を前記記憶手段に記憶させる、請求項１０に記載の携帯通信端末。
【請求項１４】
前記携帯通信端末はさらに、被写体を撮影するための撮影手段を含み、
前記受付手段は、撮影された前記被写体の画像を受け付け、
前記データ保存手段は、前記被写体の画像のファイルが前記画像データに対応付けられるファイルであることを表わす情報を、前記被写体の画像のファイルを識別する前記識別情報に含めて、前記記憶手段に記憶させる、請求項１０に記載の携帯通信端末。
【請求項１５】
前記携帯通信端末は、携帯電話機である、請求項１〜１４のいずれかに記載の携帯通信端末。
【発明の詳細な説明】
【技術分野】
【０００１】
本発明は、携帯通信端末における画像の表示の制御に関し、特に、複数の画像を一覧表示する場合の制御に関する。
【背景技術】
【０００２】
携帯電話機その他の携帯通信端末は、画像データ、文字データ、音声データ等を、フラッシュメモリその他の記憶装置に記憶することができる。携帯通信端末は、利用者による表示指示の入力に基づいて、上記の各データをファイル形式にて一覧表示することができる。このとき、ファイルが複数存在する場合、そのファイルを特定するためには、ファイルを開いて特定のアプリケーションプログラムを実行させる必要がある。そのため、利用者は、携帯通信端末に記憶されているファイルを容易に識別できない場合があった。
【０００３】
そこで、たとえば特開平１１−１６１４０５号公報（特許文献１）は、ウィンドウとして表示可能なファイルについて、そのファイルにより表示されるウィンドウの内容を、そのファイルを実際に開かなくても簡易的に確認することができるウィンドウ表示制御装置を開示する。このウィンドウ表示制御装置は、ファイルを指定するためのファイル指定手段と、指定されたファイルにより表示されるウィンドウ内の表示イメージを縮小した縮小化イメージを作成するための縮小化イメージ作成手段と、作成された縮小化イメージを、指定されたファイルに対応する簡易イメージとして表示するための縮小化イメージ表示制御手段とを含む。縮小化イメージ表示制御手段は、縮小化イメージを指定されたファイルの名称と対応付けて表示する。
【０００４】
特許文献１に開示された表示制御装置によると、ファイルが指定されると、縮小化イメージが作成される。この縮小化イメージは、そのファイルに対応する簡易イメージとして表示される。このとき、そのファイルの名称と簡易イメージとは対応付けて表示される。このようにすると、利用者は、簡易イメージの表示により、ファイルを実際に開くことなく、対応するファイルの内容を視覚的に認識することができる。また、利用者は、その簡易イメージと合わせて表示される名称によってファイルを確実に認識することができるため、たとえば誤ったファイルの選択が防止される。
【先行技術文献】
【特許文献】
【０００５】
【特許文献１】特開平１１−１６１４０５号公報
【発明の概要】
【発明が解決しようとする課題】
【０００６】
しかしながら、特許文献１に開示された表示制御装置によると、画像を有するファイル、および、音声ファイルその他の画像を有さないファイルをアイコン化したもののいずれの場合においても、ファイル名を表示する。そのため、たとえばデスクトップ型のＰＣ（Personal Computer）が備えるディスプレイの表示領域よりも小さな表示領域を有する携帯通信端末は、ファイルのアイコンを適切に表示することができない場合がある。その結果、利用者が各ファイルを容易に認識できない場合があった。
【０００７】
本発明は、上述の問題点を解決するためになされたものであって、その目的は、記憶されたファイルの画像を適切に表示して、利用者による視認性を向上させることができる携帯通信端末を提供することである。
【課題を解決するための手段】
【０００８】
上記の課題を解決するために、この発明のある局面に従うと、携帯通信端末は、画像を表示するための表示手段と、利用者が指示を入力するための入力手段と、複数のファイルの各々を識別する各識別情報と、各ファイルの各々に固有な画像データが対応付けられた少なくとも１つ以上の第１のファイルと、各ファイルの各々の属性に対応付けられた属性別画像データが対応付けられた少なくとも１つ以上の第２のファイルとを記憶するための記憶手段と、指示から、各ファイルに対応する画像の一覧を表示する指示が検出されると、各ファイルの各々について、識別情報に基づいて、ファイルが画像データに対応付けられているか否かを判断するための判断手段と、ファイルが画像データに対応付けられている場合に、各ファイルの各々について、画像データに基づいて、表示手段の表示領域における一覧表示領域が分割された領域のいずれかの領域に画像を表示するための表示データを生成するための第１の生成手段と、ファイルが画像データに対応付けられていない場合に、各ファイルの各々について、属性別画像データと識別情報とに基づいて、表示データを生成するための第２の生成手段とを含む。
【０００９】
上記の構成を有する携帯通信端末によると、利用者が画像の一覧の表示を指示すると、判断手段は、記憶手段に記憶されている各ファイルについて、そのファイルが画像データに対応付けられているか否かを判断する。たとえば、そのファイルが画像データに対応付けられている場合には、第１の生成手段は、そのデータに基づいて表示データを生成する。あるいは、そのファイルが画像データに対応付けられていない場合には、第２の生成手段は、属性別画像データと識別情報とに基づいて、表示データを生成する。したがって、そのファイルが画像データに対応付けられている場合には、表示手段は、その画像データに応じた画像を表示することができる。そうでない場合には、表示手段は、ファイルの属性（たとえば、テキストファイル、画像ファイル、音声ファイル等）に対応付けられた属性別画像データに対応する画像（たとえば、アイコン等）と、そのファイルの識別情報（たとえば、ファイル名称）とを表示する。このようにすると、携帯通信端末の利用者は、ファイルに固有な画像によって、あるいは、ファイルの属性に対応付けられた属性別画像と識別情報とによって、各ファイルを認識することができる。これにより、記憶されたファイルの画像を適切に表示して、利用者による視認性を向上させることができる携帯通信端末を提供することができる。
【００１０】
好ましくは、第１の生成手段は、画像データに対応する画像そのものを表示するためのデータを生成するための第１の表示データ生成手段を含む。第２の生成手段は、属性別画像データに対応する画像および識別情報に対応する画像を表示するためのデータを生成するための第２の表示データ生成手段を含む。
【００１１】
上記の構成を有する携帯通信端末によると、ファイルに固有な画像データがそのファイルに対応付けられている場合には、表示手段は、そのファイルに固有な画像を表示することができる。したがって、利用者は、その画像のみで、ファイルを認識することができる。一方、ファイルに固有な画像データがそのファイルに対応付けられていない場合には、表示手段は、属性別画像データに基づく画像と識別情報とを表示する。したがって、利用者は、そのファイルの種類と識別情報とに基づいて、そのファイルを認識することができる。
【００１２】
好ましくは、第１の表示データ生成手段は、画像データに対応する画像が表示される領域に対応するデータ量に応じて、記憶手段から画像データを予め定められた間隔で読み出すための読出手段を含む。
【００１３】
上記の構成を有する携帯通信端末によると、たとえば、記憶手段に記憶されている画像データのデータ量が表示手段の表示領域が分割された領域における表示に必要なデータ量よりも多い場合には、その領域に応じて調整される。たとえば、表示データは、記憶されているデータの中から予め定められたビット間隔ごとに、選択的に抽出されて生成される。これにより、表示手段は、一覧表示のための領域に応じて画像を表示することができるため、利用者は、表示されているファイルを容易に認識することができる。
【００１４】
好ましくは、画像データは、静止画像のデータを含む。読出手段は、静止画像のデータを、予め定められた間隔で読み出す。
【００１５】
上記の構成を有する携帯通信端末によると、記憶されていた静止画像のデータの中から、予め定められた間隔（たとえば、一覧表示用の領域に必要なデータ量と、静止画像のデータ量との比に基づいて算出される間引きの間隔等）ごとに、データが読み出されるため、一覧表示用の画像を、利用者に認識可能に表示することができる。
【００１６】
好ましくは、画像データは、動画像のデータを含む。読出手段は、動画像のデータにおいて予め定められたフレームのデータを、予め定められた間隔で読み出す。
【００１７】
上記の構成を有する携帯通信端末によると、記憶されていた動画像のデータの中から、予め定められたフレーム（たとえば、最初あるいは最後のフレームなど）のデータが、予め定められた間隔（たとえば、所定の間引き間隔、ビット間隔等）ごとに読み出される。このようにすると、動画像のデータが携帯通信端末に記憶されていても、利用者は、一覧表示される画像によって、そのファイルを容易に認識することができる。
【００１８】
好ましくは、第２の表示データ生成手段は、属性別画像データに対応する画像および識別情報に対応する画像が表示される領域に対応するデータ量に応じて、記憶手段から属性別画像データを予め定められた間隔で読み出す。
【００１９】
上記の構成を有する携帯通信端末によると、たとえば、記憶手段に記憶されている属性別画像データの一部が、そのデータに対応する画像が表示される領域のデータ量に応じて読み出されるため、記憶手段は一覧表示用の画像データを記憶する必要がない。したがって、記憶手段の記憶容量の増加を抑制することができる。
【００２０】
好ましくは、記憶手段は、第１のファイルと第２のファイルとを記憶するための第１のデータ記憶手段と、識別情報と属性別画像データとを対応付けて、不揮発的に記憶するための第２のデータ記憶手段とを含む。
【００２１】
上記の構成を有する携帯通信端末によると、識別情報および属性別画像データは、各ファイルと異なる記憶手段に記憶され、さらに、異なる態様で記憶される。したがって、識別情報および属性別画像データを確実に保護することができる。
【００２２】
好ましくは、識別情報は、識別情報により特定されるファイルが画像データに対応付けられるファイルであるか否かを表わす属性情報を含む。判断手段は、属性情報に基づいて、ファイルが画像データに対応付けられているか否かを判断する。
【００２３】
上記の構成を有する携帯通信端末によると、ファイルの識別情報（たとえば、ファイルの名称）に、その属性情報を含めることにより、表示手段におけるファイルの表示の態様を切り換えることができる。したがって、利用者は、一覧表示されたファイルを容易に識別することができる。
【００２４】
好ましくは、記憶手段は、識別情報により特定されるファイルが画像データに対応付けられるファイルであるか否かを表わす属性情報を、各ファイルの識別情報に対応付けて記憶する。判断手段は、属性情報に基づいて、ファイルが画像データに対応付けられているか否かを判断する。
【００２５】
上記の構成を有する携帯通信端末によると、ファイルの識別情報と属性情報とを対応付けて記憶手段に記憶させることにより、表示手段におけるファイルの表示の態様を切り換えることができる。したがって、利用者は、一覧表示されたファイルを容易に識別することができる。
【００２６】
好ましくは、携帯通信端末はさらに、外部からの情報の入力を受け付けるための受付手段と、外部からの情報の属性に基づいて、外部からの情報を属性情報に対応付けて記憶手段に記憶させるためのデータ保存手段とを含む。
【００２７】
上記の構成を有する携帯通信端末によると、利用者が外部から情報（たとえば、文字情報、画像情報、音声情報等）を入力した場合、その情報は、属性情報に対応付けられて記憶手段に記憶される。したがって、表示手段が、その情報について画像を一覧表示する場合にも、各情報のファイルに固有な画像、あるいは、ファイルの属性に応じて予め対応付けられた画像および識別情報が表示される。したがって、利用者は、一覧表示されたファイルを容易に認識することができる。
【００２８】
好ましくは、受付手段は、文字情報の入力を受け付ける。データ保存手段は、文字情報のファイルが画像データに対応付けられないファイルであることを表わす情報を、文字情報のファイルを識別する識別情報に含めて、記憶手段に記憶させる。
【００２９】
上記の構成を有する携帯通信端末によると、利用者が文字情報を入力した場合には、記憶手段は、文字情報のファイルが画像データに対応付けられないファイルであることを表わす情報を有する識別情報と、その文字情報とを記憶する。したがって、画像の一覧が表示されるとき、文字情報のファイルは、識別情報と、そのファイルの種類に応じた画像（たとえば、テキストファイルであることを示すアイコン）とによって、表示される。このようにすると、利用者は、そのファイルが文字情報のファイルであることを容易に認識することができる。
【００３０】
好ましくは、受付手段は、音声信号の入力を受け付ける。データ保存手段は、音声信号のファイルが画像データに対応付けられないファイルであることを表わす情報を、音声信号のファイルを識別する識別情報に含めて、音声信号を記憶手段に記憶させる。
【００３１】
上記の構成を有する携帯通信端末によると、音声信号が入力されると、記憶手段は、音声信号のファイルが画像データに対応付けられないファイルであることを表わす情報を有する識別情報と、音声信号とを記憶する。したがって、画像の一覧が表示されるとき、音声信号のファイルは、識別情報と、そのファイルの属性に応じて予め対応付けられた画像（たとえば、音符を表わすアイコン）とによって、表示される。このようにすると、利用者は、そのファイルが音声信号のファイルであることを容易に認識することができる。
【００３２】
好ましくは、受付手段は、映像信号の入力を受け付ける。データ保存手段は、映像信号のファイルが画像データに対応付けられるファイルであることを表わす情報を、映像信号のファイルを識別する識別情報に含めて、映像信号を記憶手段に記憶させる。
【００３３】
上記の構成を有する携帯通信端末によると、映像信号が入力されると、記憶手段は、その映像信号のファイルが画像データに対応付けられるファイルであることを表わす情報を有する識別情報と、映像信号とを記憶する。このようにすると、表示手段が画像の一覧を表示するとき、映像信号のファイルは、そのファイルに固有な画像（たとえば、最初のフレームのデータによってを表わされる画像）とによって表示される。このとき、表示手段は、識別情報を表示領域に表示しないため、画像データに対応する画像をその領域全体に表示することができる。このようにすると、利用者は、映像信号のファイルを容易に認識することができる。
【００３４】
好ましくは、携帯通信端末はさらに、被写体を撮影するための撮影手段を含む。受付手段は、撮影された被写体の画像を受け付ける。データ保存手段は、被写体の画像のファイルが画像データに対応付けられるファイルであることを表わす情報を、被写体の画像のファイルを識別する識別情報に含めて、記憶手段に記憶させる。
【００３５】
上記の構成を有する携帯通信端末によると、利用者が撮影手段（たとえば、カメラ）によって被写体を撮影すると、記憶手段は、その被写体の画像データと、被写体の画像のファイルが画像データを有するファイルであることを表わす情報を有する識別情報とを記憶する。表示手段は、画像の一覧を表示するとき、識別情報を表示領域に表示することなく、被写体の画像を表示する。このようにすると、利用者は、撮影した被写体の画像を容易に認識することができる。
【００３６】
好ましくは、携帯通信端末は、携帯電話機である。
上記の構成を有する携帯電話機によると、画像の一覧を表示するとき、ファイルに固有な画像データがファイルに対応付けられている場合には、そのデータに基づく画像が表示される。そのような画像データが対応付けられていない場合には、そのファイルの属性に応じて対応付けられた画像とファイルの識別情報とが表示される。このようにすると、利用者は、各ファイルを容易に識別することができる。
【発明の効果】
【００３７】
本発明に係る携帯通信端末によると、画像データを有するファイルについては画像のみを表示し、画像データを有さないファイルについてはそのファイルの種類に応じて対応付けられた識別画像とそのファイルの名称とが表示されるため、利用者は、ファイルを容易に認識することができる。
【図面の簡単な説明】
【００３８】
【図１】本発明の実施の形態に係る携帯電話の外観を表わす概略図である。
【図２】本発明の実施の形態に係る携帯電話の機能の構成を表わすブロック図である。
【図３】本発明の実施の形態に係る携帯電話に記憶されるデータ構造の一態様を説明するための図（その１）である。
【図４】本発明の実施の形態に係る携帯電話に記憶されるデータ構造の一態様を説明するための図（その２）である。
【図５】本発明の実施の形態に係る携帯電話のメインモニタの表示画面の一態様を表わす図（その１）である。
【図６】本発明の実施の形態に係る携帯電話を実現する演算装置が実行する処理の手順を表わすフローチャートである。
【図７】本発明の実施の形態に係る携帯電話のメインモニタの表示画面の一態様を表わす図（その２）である。
【図８】本発明の実施の形態に係る携帯電話のメインモニタの表示画面の一態様を表わす図（その３）である。
【図９】本発明の実施の形態に係る携帯電話に記憶されるデータ構造の一態様を説明するための図（その３）である。
【発明を実施するための形態】
【００３９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４０】
図１を参照して、本発明の実施の形態に係る携帯通信端末の一態様である携帯電話１００について説明する。図１は、携帯電話１００の外観を概略的に表わす図である。
【００４１】
図１に示すように、携帯電話１００は、メインモニタ１２０と、複数のボタンを有する操作ボタン１５０と、数字ボタン１６０とを含む。なお、携帯電話１００は、図１に示したように折り畳み可能な構成以外の構成であってもよい。
【００４２】
図２を参照して、本発明の実施の形態に係る携帯電話１００の構成についてさらに説明する。図２は、携帯電話１００の主な構成を表わすブロック図である。
【００４３】
図２に示すように、この携帯電話１００は、演算装置１１０と、メインモニタ１２０と、サブモニタ１３０と、カメラ１４０と、操作ボタン１５０と、数字ボタン１６０と、ＲＡＭ（Random Access Memory）１７２と、フラッシュメモリ１７４と、メモリカードドライブ１８０と、アンテナ１９０とを含む。メモリカードドライブ１８０には、メモリカード１８２が装着される。演算装置１１０は、予め定められた処理を実行するためのプログラムが作動している間、後述する各処理を実行する判断部、第１の生成部、および第２の生成部として機能する。
【００４４】
すなわち、演算装置１１０の判断部は、フラッシュメモリ１７４に記憶されているファイルが、そのファイルに固有な画像データに対応付けられているか否かを、そのファイルの名称、あるいは拡張子に基づいて判断する。
【００４５】
演算装置１１０の第１の生成部は、そのファイルが画像データに対応付けられている場合に、その画像データに対応する画像をメインモニタ１２０に表示するためのデータを、その画像データから生成する。この画像データは、たとえば予め定められた間隔で記憶されているデータを間引くことにより生成される。
【００４６】
演算装置１１０の第２の生成部は、そのファイルが画像データに対応付けられていない場合に、そのファイルの属性に応じて予め対応付けられた属性別画像データとそのファイルの識別情報とに基づいて、メインモニタ１２０に表示するためのデータを生成する。このときも、第１の生成部と同様に、表示のためのデータは、たとえば、フラッシュメモリ１７４に記憶されているデータを、予め定められた間隔で間引くことにより生成される。
【００４７】
なお、表示用のデータを生成する態様は、上記のものに限られず、他の態様で生成されてもよい。
【００４８】
演算装置１１０はさらに、フラッシュメモリ１７４に記憶されているデータとプログラムとに基づいて、その他の予め定められた処理を実行する。この処理には、アンテナ１９０を介した他の携帯電話との通話、メールの送受信、メインモニタ１２０あるいはサブモニタ１３０への画像の表示などが含まれる。
【００４９】
サブモニタ１３０は、たとえば図１に示した携帯電話１００のメインモニタ１２０の反対面（図示しない）に取り付けられる。カメラ１４０も、サブモニタ１３０が取り付けられる面と同じ面に取り付けられる。
【００５０】
操作ボタン１５０は、たとえばカーソル移動キー、電源キー、決定キー等を含む。
ＲＡＭ１７２は、演算装置１１０が処理を実行するときにデータを一時的に格納するための、たとえば揮発性のメモリである。ＲＡＭ１７２は、複数であってもよい。また、画像表示のためのＶＲＡＭ（Video RAM）をさらに備えていてもよい。
【００５１】
フラッシュメモリ１７４は、演算装置１１０が実行するプログラム、予め設定されたデータ等を格納する。このデータには、たとえば、ファイルの種類と、その種類に応じて予め作成された画像識別データ（たとえばアイコン）とが含まれる。これらは、互いに関連付けられて記憶されている。
【００５２】
フラッシュメモリ１７４はさらに、写真その他の画像データ、音楽データ、テキストデータ等を記憶する。これらのデータは、携帯電話１００の利用者により生成されたものもあれば、アンテナ１９０を介して通信することにより取得されたデータもある。
【００５３】
なお、利用者のためのデータは、フラッシュメモリ１７４以外の情報記録媒体に記録することもできる。たとえば、メモリカードドライブ１８０に装着されるメモリカード１８２に画像データその他のデータを書き込んでもよい。
【００５４】
逆に、本発明に係る携帯電話１００は、メモリカードドライブ１８０を有さないものであってもよい。
【００５５】
図３を参照して、携帯電話１００のフラッシュメモリ１７４に格納されるデータについて説明する。図３は、フラッシュメモリ１７４に格納されるファイルの識別子とそのファイルの種類とを説明するための図である。
【００５６】
図３に示すように、たとえば「ＪＰＧ」という識別子は、ファイルの種類として、「ピクチャ」に対応付けられる。同様に、たとえば「ＴＸＴ」という識別子は、ファイルの種類として、「テキスト」に対応付けられる。なお、識別子とそのファイルの種類との対応関係は、図３に示した態様に限られない。
【００５７】
このような対応関係を予め設定しておくことにより、たとえば識別子「ＪＰＧ」、「ＡＮＩ」、あるいは「ＭＯＶ」を有するファイルは、画像データであることを、演算装置１１０に判断させることができる。
【００５８】
図４を参照して、携帯電話１００のフラッシュメモリ１７４におけるデータの参照形式について説明する。図４（Ａ)〜（Ｃ）は、データを格納した各フォルダ間の対応を説明するための図である。
【００５９】
図４（Ａ）を参照して、たとえば名称が「データフォルダ」についてアドレス「２」の参照が示されている。図４（Ｂ）に示すように、そのデータフォルダのアドレス「２」では、名称が「ピクチャフォルダ」、アドレスについて「３」の参照が指定されている。
【００６０】
図４（Ｃ）に示すように、そのピクチャフォルダにおいて指定されたアドレス「３」には、名称が「Ａ．ＪＰＧ」である画像データのアドレス「００１０」が格納されている。
【００６１】
このようにしてフラッシュメモリ１７４のルートファイルにおいて指定されるアドレスに基づいて、その表示される画像データのアドレスが特定される。なお、フラッシュメモリ１７４におけるデータの格納は、図４に示した態様に限られない。
【００６２】
図５を参照して、本実施の形態に係る携帯電話１００のメインモニタ１２０における画像の表示について説明する。図５は、メインモニタ１２０が表示する複数の表示領域を説明するための図である。
【００６３】
図５に示すように、メインモニタ１２０の表示領域は、画像表示領域５００と、画面情報表示領域５１０と、機能表示領域５２０とを含む。画像表示領域５００は、９つの領域に細分化される。この細分化は、予め定められた条件が成立した場合に行なわれる。たとえば、利用者が画像の一覧表示の指示を入力した場合に、画像表示領域５００が細分化され、それぞれの領域に画像あるいは文字が表示される。
【００６４】
なお、画像表示領域５００の細分化の態様は、図５に示したものに限られない。たとえば、細分化により生成される領域の数は、９つ以外であってもよい。また、領域同士は、隣接していなくてもよい。
【００６５】
画面情報表示領域５１０は、メインモニタ１２０が表示する画面に関する情報を表わす。この情報は、たとえば、メニューの見出し等を含む。
【００６６】
機能表示領域５２０は、メインモニタ１２０が表示している画面において使用可能な機能を表示する。この表示は、携帯電話１００の操作ボタン１５０に割り当てられる。したがって、たとえば利用者がいずれかの表示にカーソルを移動して、決定キーを押下した場合には、その表示に割り当てられている機能が実行される。
【００６７】
図６を参照して、本発明の実施の形態に係る携帯電話１００の制御構造について説明する。図６は、携帯電話１００の演算装置１１０が実行する処理の手順を表わすフローチャートである。この処理は、たとえばフラッシュメモリ１７４に格納されているプログラムによって実行される。
【００６８】
ステップＳ６０２にて、演算装置１１０は、利用者による操作ボタンの押下を検知する。
【００６９】
ステップＳ６０４にて、演算装置１１０は、画像一覧の表示が指示されたか否かを判断する。この判断は、たとえば画像一覧の表示の指示に対応付けられている操作ボタンの押下に基づいて信号が出力されたか否かに基づいて行なわれる。画像一覧の表示が指示されたと判断すると（ステップＳ６０４にてＹＥＳ）、処理はステップＳ６０８に移される。そうでない場合には（ステップＳ６０４にてＮＯ）、処理はステップＳ６１０に移される。
【００７０】
ステップＳ６０８にて、演算装置１１０は、フラッシュメモリ１７４に記憶されているデータをＲＡＭ１７２に読み出す。なお、このとき、メインモニタ１２０の表示領域に応じたデータが読み出される。すなわち、メインモニタ１２０における分割された表示領域における画像の表示に必要なデータ量が、フラッシュメモリ１７４に記憶されているデータ量よりも少ない場合、その表示領域における表示に必要なデータ量が読み出される。たとえば、メインモニタ１２０を縦方向および横方向にそれぞれ３等分して、画面全体で９分割する場合、フラッシュメモリに記憶されているデータ量の９分の１が読み出される。なお、データの読み出しの態様は、これに限られず、その他の態様であってもよい。
【００７１】
ステップＳ６１０にて、演算装置１１０は、予め定められた、その他の処理を実行する。
【００７２】
ステップＳ６１２にて、演算装置１１０は、すべてのファイルについてデータの読出が完了したか否かを判断する。データの読出が完了したと判断すると（ステップＳ６１２にてＹＥＳ）、処理はステップＳ６１６に移される。そうでない場合には（ステップＳ６１２にてＮＯ）、処理はステップＳ６１４に移される。
【００７３】
ステップＳ６１４にて、演算装置１１０は、次のファイルのデータをＲＡＭ１７２に読み出す。
【００７４】
ステップＳ６１６にて、演算装置１１０は、カウンタＣＮＴを初期化する。
ステップＳ６１８にて、演算装置１１０は、ＲＡＭ１７２に読み出したファイルが画像データを有するファイルであるか否かを判断する。この判断は、たとえばファイルに付けられた拡張子、あるいはファイル名に対応付けられた属性データに基づいて行なわれる。ＲＡＭ１７２に読出されたファイルが画像データを有するファイルである場合には（ステップＳ６１８にてＹＥＳ）、処理はステップＳ６２０に移される。そうでない場合には（ステップＳ６１８にてＮＯ）、処理はステップＳ６２６に移される。
【００７５】
ステップＳ６２０にて、演算装置１１０は、画像データが展開可能なデータであるか否かを判断する。この判断は、たとえばＲＡＭ１７２に読み出されたデータが完全に展開できるか否かに基づいて行なわれる。画像データが展開可能なデータである場合には（ステップＳ６２０にてＹＥＳ）、処理はステップＳ６２２に移される。そうでない場合には（ステップＳ６２０にてＮＯ）、処理はステップＳ６２４に移される。
【００７６】
ステップＳ６２２にて、演算装置１１０は、画像データに基づいて画像のみを表示する。すなわち、演算装置１１０は、ＲＡＭ１７２に読み出した画像データをメインモニタ１２０に出力する。これにより、メインモニタ１２０は、画像表示領域５００のいずれかに（図５）、そのデータに応じた画像を表示する。
【００７７】
ステップＳ６２４にて、演算装置１１０は、展開エラー時の表示処理を実行する。この処理が実行されると、たとえば画像データが展開できないことを表わすエラーメッセージが、メインモニタ１２０の所定の画像表示領域５００に示される。
【００７８】
ステップＳ６２６にて、演算装置１１０は、ファイルの種類に基づいてアイコンを判別する。
【００７９】
ステップＳ６２８にて、演算装置１１０は、ファイルの名前とそのファイルに応じたアイコンとを表示する。すなわち、演算装置１１０は、ＲＡＭ１７２にそのアイコンを表示するデータとそのファイルの名前のデータとを読み出し、メインモニタ１２０に出力する。これにより、メインモニタ１２０は、ファイルの種類に応じて予め定められたアイコンと、そのファイルの名前とを、画像表示領域５００の所定の位置に表示する。なお、この位置は、たとえば、ファイルが読み出されたときに、その読み出し順序に基づいて定められるものである。
【００８０】
ステップＳ６３０にて、演算装置１１０は、カウンタＣＮＴの値を１カウントアップする。
【００８１】
ステップＳ６３２にて、演算装置１１０は、カウンタＣＮＴの値が所定の数になったか否かを判断する。カウンタＣＮＴが所定の数になった場合には（ステップＳ６３２にてＹＥＳ）、処理は終了する。そうでない場合には（ステップＳ６３２にてＮＯ）、処理はステップＳ６１８に戻される。
【００８２】
以上のような構造およびフローチャートに基づく、本発明の実施の形態に係る携帯電話１００の動作について、図７を参照しつつ説明する。図７は、メインモニタ１２０が、フラッシュメモリ１７４に記憶されているデータに基づいて、画像表示領域５００における９つの領域の各々に画像を表示した状態を表わす図である。
【００８３】
携帯電話１００の利用者が、所定の操作ボタンを押下して画像一覧の表示を指示すると（ステップＳ６０４にてＹＥＳ）、画像データがフラッシュメモリ１７４からＲＡＭ１７２に読み出される（ステップＳ６０８）。
【００８４】
［画像のみを表示する動作］
読み出されたファイルがたとえば「Ａ．ＪＰＧ」である場合には、そのファイルは画像データを有するファイルと判断され（ステップＳ６１８にてＹＥＳ）、展開可能であるかどうかが判断される。ファイル「Ａ．ＪＰＧ」が展開可能なファイルである場合には（ステップＳ６２０にてＹＥＳ）、そのファイルの有する画像データに基づいて、画像がメインモニタ１２０に表示される（ステップＳ６２２、図７における表示７１０）。
【００８５】
［アイコンとファイル名とを表示する動作］
すべてのファイルの表示が完了していない場合には（ステップＳ６３２にてＮＯ）、ＲＡＭ１７２に読出されたファイルについて同様の処理が繰り返される。このとき、ファイルが画像データを有しない場合には（ステップＳ６１８にてＮＯ）、そのファイルの種類に基づいて表示の対象となるアイコンが判別される（ステップＳ６２６）。メインモニタ１２０は、ファイルの名前とアイコンとを表示する（ステップＳ６２８、図７における表示７２０）。
【００８６】
［ファイルエラー時の動作］
その後、ＲＡＭ１７２に読出されたファイルについてさらに表示処理が行なわれ（ステップＳ６３２にてＮＯ）、そのファイルが画像データを有するファイルであって（ステップＳ６１８にてＹＥＳ）、展開可能なデータでない場合には（ステップＳ６２０にてＮＯ）、演算装置１１０は、予め定められたエラー処理を実行する（ステップＳ６２４）。その結果、メインモニタ１２０は、そのファイルが正常でないことを表わす表示とファイル名とを表示する（図７における表示７３０）。たとえば図７を参照して、表示７３０は、「ファイルＪ．ＪＰＧ」という名称のファイルが正常でないことを表わす。
【００８７】
図８を参照して、本発明の実施の形態に係る携帯電話１００における表示の態様について説明する。図８（Ａ）および（Ｂ）は、携帯電話１００のメインモニタ１２０における画像表示の切換を説明するための図である。
【００８８】
図８（Ａ）に示すように、メインモニタ１２０は、利用者による一覧表示の指示に基づいて、画像表示領域５００に含まれる各領域に画像データを表示する。この表示には、正常なデータに基づいて表示された画像、破損したデータに基づいて表示されたイメージ画像、および本来画像データを有さないファイルに予め対応付けられている識別画像とが含まれる。
【００８９】
このようにして表示されている状態において、利用者がメインモニタ１２０に示されるカーソルを移動して特定の表示領域（たとえば表示領域８１０）を選択する動作を実行すると、その領域に格納されているデータに基づいて画像が拡大表示される（図８（Ｂ））。たとえば、表示領域８１０の押下に応答して、その領域における表示のためのデータが、画像表示領域５００全体に表示されるように出力される。この場合、細分化された領域に画像を表示するためのデータが、画像表示領域５００に画像を表示するためのデータから特定の割合でデータを抽出することにより生成されている場合には、本来のデータ量がメインモニタ１２０に出力される。
【００９０】
この場合、メインモニタ１２０は、画像のみを表示し、その他の情報（たとえばファイル名）を表示しない。したがって、利用者は図８（Ａ）に示した表示の態様においいても、特定の表示領域８１０に示された画像がどのような画像であるかを容易に認識することができる。
【００９１】
以上のようにして、本発明の実施の形態に係る携帯電話１００によると、利用者がファイルの一覧の表示を指示した場合には、予め格納されているファイルの属性に基づいてそのファイルが画像データを有するか否かが判断される。携帯電話１００は、その判断の結果に応じて、画像のみを表示したり、あるいはファイル名とそのファイルの属性を表わす画像とを表示する。したがって、画像データを有するファイルの情報は、表示領域全体に示されるため、利用者はそのファイルがどのようなファイルであるかを容易に認識することができる。これにより、画像の視認性を高めることができる携帯電話を提供することができる。
【００９２】
なお、フラッシュメモリ１７４におけるデータの格納の態様は、図４に示されたものに限られない。すなわち、図４に示したように、複数のフォルダ間においてアドレスを参照して特定のファイルを参照する方法以外の方法によってデータを特定してもよい。
【００９３】
図９を参照して、携帯電話１００におけるデータの格納に関する他の態様について説明する。図９は、フラッシュメモリ１７４におけるデータ構造を概念的に表わす図である。
【００９４】
図９に示すように、フラッシュメモリ１７４は、複数のデータ領域を有する。各領域は、その領域を特定するためのメモリ番号と、格納するファイル名と、画像の有無を表わす画像有無フラグの領域と、ファイルの種類を表わすデータを格納する領域とを含む。
【００９５】
たとえばメモリ番号が「００１」である場合、そのメモリ番号に格納されるファイルは、「ファイルＡ」である。この「ファイルＡ」は、画像を有するファイルである。このファイルは、ピクチャファイルであることを示す。
【００９６】
同様に、たとえばメモリ番号が「００６」に格納されるデータは、ファイル名が「ファイルＦ」である。この「ファイルＦ」は、画像データを有さないファイルである。このファイルは、テキストファイルである。このようにしても、各ファイルについて画像の有無を判断することができるため、携帯電話１００は、一覧の表示指示に基づいて画像を選択的に表示することができる。
【００９７】
さらに、メインモニタ１２０に表示するためのデータの読み出しは、図６におけるステップＳ６１２に示した処理に限られない。たとえば、画像を一覧表示する場合の各領域に応じたデータを予め保持しておき、そのデータを読み出すようにしてもよい。このようにすると、たとえば、フラッシュメモリ１７４の容量に余裕がある場合には、画像の一覧を速やかに表示することができる。
【００９８】
また、動画像のデータが記憶されている場合には、たとえば予め画像データとして使用するフレームを予め定めておくことにより、動画像のファイルに応じた画像を表示することができる。この場合、たとえば最初のフレーム、最後のフレーム、あるいは、第ｎ番目のフレームのデータを読み出すと設定することにより、動画データから表示用の画像データを生成することができる。
【００９９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１００】
１００  携帯電話、１１０  演算装置、１２０  メインモニタ、１３０  サブモニタ、１４０  カメラ、１５０  操作ボタン、１６０  数字ボタン、１７２  ＲＡＭ、１７４  フラッシュメモリ、１８０  メモリカードドライブ、１８２  メモリカード、１９０  アンテナ。
【図１】
2011138526.tif 000003
【図２】
2011138526.tif 000004
【図３】
2011138526.tif 000005
【図４】
2011138526.tif 000006
【図５】
2011138526.tif 000007
【図６】
2011138526.tif 000008
【図７】
2011138526.tif 000009
【図８】
2011138526.tif 000010
【図９】
2011138526.tif 000011